(57)【要約】      （修正有）【課題】警告音が小さな音圧レベルから鳴り始め、使用者の判断で警告音を適度な音圧レベルで止めることが出来、事態を大げさにすることなく加害者へ注意喚起が出来る防犯グッズを提供する。【解決手段】防犯グッズ本体の対角線上もしくは表裏の面中央にそれぞれボタンを配置し、その対称的位置にある２つのボタンを手指のピンチ動作で同時に押すと音が鳴り始め、ボタンを押し続けると音も鳴り続け、２つのボタンから指を離すことで音が止まる指のピンチ動作で音のオンとオフを可能としたボタン配置を特徴とする。片手のピンチ（つまみ）動作で音の起動のＯＮとＯＦＦが出来るため操作性に優れている。【選択図】図４
0003223618.tif 000002
【実用新案登録請求の範囲】
【請求項１】
ボタンの形状や数を問わず、防犯グッズ本体に設けてあるボタンを押すことにより、音圧レベル（ｄＢ）が８５ｄＢ未満の小さな音圧レベルから警告音が鳴り始め、徐々に音圧レベルが大きくなる警告音の機能を備え、ボタンを操作することで適度な音圧レベルで警告音を止めることが出来ることを特徴とした警告音機能付き防犯グッズ。
【請求項２】
防犯グッズ本体の表裏の面もしくは側面の対角線上にボタンを配置し、その２つのボタンを同時に押し続けることで音が鳴り始め、押し続けていた２つのボタンから指を離すことで音が止まり、再度音を発動する際は設定してある最小値の音圧レベル（ｄＢ）から鳴り始める。かつ、指の触覚を手掛かりにボタンの位置を認識でき、指のピンチ（つまみ）動作で全ての操作を可能とした本体の形状とボタン配置が特徴となっている警告音機能付き防犯グッズ。
【請求項３】
音圧レベル（ｄＢ）が徐々に大きくなる機能に加え、人がもっとも音の変化を感じやすいと言われる３０００Ｈｚ〜４０００Ｈｚ付近の周波数に設定した音が鳴ることを特徴とした警告音機能付き防犯グッズ。
【考案の詳細な説明】
【技術分野】
【０００１】  本考案は、防犯グッズ本体（以下、本体）の対角線上に配置した２つのボタンを押し続けることで徐々に大きくなる音（以下、警告音）が鳴り始め、押し続けていた２つのボタンから指を離すことで警告音が止まる機能に加え、人が聞き取りやすい周波数に音を設定する。また、指のピンチ（つまみ）動作のみで全ての操作が行えることを特徴とする防犯グッズ。
【背景技術】
【０００２】  満員電車など身体が密着する場面が多い国では、えん罪を含めてトラブルが多い。加害者となるかもしれない方への警告の発信は、トラブルを未然に防ぐ抑止効果があると思われるがその簡易的な手段がない。
【考案の概要】
【考案が解決しようとする課題】
【０００３】  痴漢などに合った際は、声を出して相手と対峙するのは非常に勇気がいるし、間違いだった時などもリスクがある。そのような理由から被害にあった方が対処するのを躊躇するケースが多い。また、従来の防犯ブザーは、全国防犯協会連合会推奨品の基準値の８５ｄＢ前後の音圧レベルであり、広範囲の人から注目を浴びやすく、使用者側の心理的な負担が大きい。また、気軽に使用するためには、操作がしやすく誤作動が起こりづらい防犯グッズである必要がある。
【課題を解決するための手段】
【０００４】  小さな音圧レベルから徐々に音圧レベルが大きくなる警告音を適度な音圧レベルで止めることが出来るため、広範囲の人に気づかれることなく、近くにいる加害者の行為に対し不快感を伝える手段と成る。かつ、警告音を人が聞き取りやすい３０００〜４０００Ｈｚ付近に周波数を設定することにより効率よく相手は音を感じるので小さな音圧レベルで済むことと、周波数が高いことは音の減衰も大きいという特徴があり警告音が聞こえる範囲を広めない効果もあり使用者の心理的負担に配慮している。逆に広範囲の人に危機的な状況を知ってもらいたい時は、ボタンを押し続け音圧レベルを上げることで対処は出来る。また、本体の側面の高さを本体の表裏の面の直径の半分以下の寸法に抑えることで指の触覚で面を認識できるようにしている。そして、その面の対角線上に配置されたボタンを２本の指のピンチ（つまみ）動作で本体の中央の方向へ押し込むことにより音のＯＮとＯＦＦを操作でき、誤作動もしづらい構造を持っている。
【考案の効果】
【０００５】警告音が小さな音圧レベルから鳴り始めることと、使用者の判断で警告音を適度な音圧レベルで止めることが出来るため、事態を大げさにすることなく加害者へ注意喚起が出来る。片手のピンチ（つまみ）動作で操作できるのも気軽に使用できる工夫となっている。
【図面の簡単な説明】
【０００６】
【図１】本体が四角形の表裏の面の中央にボタンを配置した、表裏の図面１
【図２】本体が円形の表裏の中央にボタンを配置した、表裏の図面２
【図３】本体が四角形もしくは円形の表裏の面の中央にボタンを配置した、側面真ん中の断面の図面３
【図４】本体が四角形の４つの角の９０度角を省いた形状で、４つ角それぞれにボタンを配置した、表裏の図面４
【図５】本体が四角形の４つの角の９０度角を省いた形状で、４つ角それぞれにボタンを配置した、側面の図面５
【図６】本体が四角形の４つの角の９０度角を省いた形状で、側面それぞれにボタンを配置した、表裏の図面６
【図７】本体が四角形の４つの角の９０度角を省いた形状で、側面それぞれにボタンを配置した、側面の図面７
【図８】本体が４つ葉のクローバーの形状で、それぞれに葉の先端にボタンを配置した、表裏の図面８
【考案を実施するための形態】
【０００７】  使用者の手の届く位置に本体を携帯し周囲に不安を感じる場面では、本体に手を触れていつでも起動できるようにしておく。危機を感じたらボタンを押し警告音を鳴らして相手に対して警告をする。
【実施例】
【０００８】  電車やバスなど人込みの中で、身体を触られた感覚があり不快な思いをした際、ボタン操作で警告音を鳴らし徐々に音圧レベルが大きくなるので適度な音圧レベルで一度止めて相手のようすを見て、必要に応じて何度も警告（こちらが不快と思っていることを注意喚起）する。【０００９】  暗闇などで身の危険を感じた時は、予め防犯グッズを持っているアピールをするため、相手に聞こえるぐらいの小さな音圧レベルの警告音を鳴らして行動の抑止効果をねらう。
【符号の説明】
【００１０】１  本体
２  Ａ  対称的な位置に配置されたボタン
Ｂ  対称的な位置に配置されたボタン
３  表面からのくぼみの形状
４  キーホルダーのチェーン
【図１】
0003223618.tif 000003
【図２】
0003223618.tif 000004
【図３】
0003223618.tif 000005
【図４】
0003223618.tif 000006
【図５】
0003223618.tif 000007
【図６】
0003223618.tif 000008
【図７】
0003223618.tif 000009
【図８】
0003223618.tif 000010
【手続補正書】
【提出日】平成31年4月5日(2019.4.5)
【手続補正１】
【補正対象書類名】実用新案登録請求の範囲
【補正対象項目名】全文
【補正方法】変更
【補正の内容】
【実用新案登録請求の範囲】
【請求項１】
ボタンの形状や数を問わず、防犯グッズ本体に設けてあるボタンを押すことにより、音圧レベル８５ｄＢ未満０ｄＢ以上の間に設定された小さな音圧レベルの警告音が鳴り始め、ステップアップ音量機能で徐々に音圧レベルが大きくなる警告音の機能を備え、ボタンを操作することで適度な音圧レベルで警告音を止めることが出来、再度音を発動する際は設定してある最小値の音圧レベルから鳴り始めることを特徴とした警告音機能付き防犯グッズ。
【請求項２】
対称的な形状の防犯グッズ本体の対角線上もしくは裏表それぞれの面中央にボタンを配置し、その対称的位置にある２つのボタンを同時に押すと音が鳴り始め、ボタンを押し続けると継続して音が鳴る。押し続けていた２つのボタンから指を離すことで音が止まる。かつ、指の触覚を手掛かりにボタンの位置を認識でき、指のピンチ（つまみ）動作で全ての操作を可能とした本体の形状とボタン配置が特徴となっている警告音機能付き防犯グッズ。
【請求項３】
音圧レベル（ｄＢ）が徐々に大きくなる機能に加え、人がもっとも音の変化を感じやすいと言われる周波数３０００Ｈｚ〜４０００Ｈｚ付近の中でも高い周波数が聞き取りづらい高齢者に対応できるよう３０００Ｈｚに警告音を設定し、周波数が高いことにより音の減衰も大きい特徴を持った警告音機能付き防犯グッズ。
【手続補正３】
【補正対象書類名】明細書
【補正対象項目名】０００１
【補正方法】変更
【補正の内容】
【０００１】  本考案は、防犯グッズ本体の対角線上もしくは表裏の面の中央に配置した２つのボタンを押し続けることで徐々に大きくなる警告音が鳴り始め、押し続けていた２つのボタンから指を離すことで警告音が止まる機能と、高齢者にも配慮した人が聞き取りやすい周波数に音を設定し、指のピンチ（つまみ）動作のみで全ての操作が行えることを特徴とする防犯グッズ。
【手続補正４】
【補正対象書類名】明細書
【補正対象項目名】０００３
【補正方法】変更
【補正の内容】
【０００３】  痴漢などに合った際は、声を出して相手と対峙するのは非常に勇気がいるし、間違いだった時などもリスクがある。そのような理由から被害にあった方が問題に対応するのを躊躇するケースが多い。また、従来の防犯ブザーは、全国防犯協会連合会推奨品の基準値の８５ｄＢ以上かその近辺での音圧レベルであり、広範囲の人から注目を浴びやすく使用者側の心理的な負担が大きい。また、気軽に使用するためには、操作がしやすく誤作動が起きにくい防犯グッズである必要がある。
【手続補正５】
【補正対象書類名】明細書
【補正対象項目名】０００４
【補正方法】変更
【補正の内容】
【０００４】  小さな音圧レベルから徐々に音圧レベルが大きくなる警告音を適度な音圧レベルで止めることが出来るため、広範囲の人に気づかれることなく、近くにいる加害者の行為に対し不快感を伝える手段と成る。かつ、警告音を人が聞き取りやすい３０００〜４０００Ｈｚ付近の周波数（本考案は高齢者に配慮して３０００Ｈｚ）を設定することにより効率よく相手は音を感じるので小さな音圧レベルで済むことと、周波数が高いことにより音の減衰も大きく警告音が聞こえる範囲を広めにくい効果もあり使用者の心理的負担に配慮している。逆に広範囲の人に危機的な状況を知ってもらいたい時は、ボタンを押し続け音圧レベルを上げることで対処は出来る。また、本体の側面の高さを本体の表裏の面の直径の半分以下の寸法に抑えることで指の触覚で形状を認識しやすくしている。そして、本体の対角線上もしくは面の中央の対称的な位置に配置されたボタンを２本の指のピンチ（つまみ）動作で押す、または離すことにより音のＯＮとＯＦＦを操作できる構造を持っている。
【手続補正６】
【補正対象書類名】明細書
【補正対象項目名】０００６
【補正方法】変更
【補正の内容】
【０００６】
【図１】四角形の表裏の面それぞれの中央にボタンを配置した、表裏の図１  円形の表裏の面それぞれの中央にボタンを配置した、表裏の図２  図１と図２における面の真ん中を輪切りにした断面の図３  四角形（４つの角の９０度角を省いた形状）の対角線上の対となる位置にボタンを配置した、表裏の図４  図４における側面の図５  四角形（４つの角の９０度角を省いた形状）で、対称的な位置にある側面に対となるボタンを配置した表裏の図６  図６における側面の図７  本体が４つ葉のクローバーの形状で、それぞれの葉の先端にボタンを配置した、表裏の図８
【手続補正書】
【提出日】令和1年8月6日(2019.8.6)
【手続補正１】
【補正対象書類名】実用新案登録請求の範囲
【補正対象項目名】全文
【補正方法】変更
【補正の内容】
【実用新案登録請求の範囲】
【請求項１】
防犯グッズ本体の対角線上もしくは表裏の面中央にそれぞれボタンを配置し、その対称的位置にある２つのボタンを手指のピンチ動作で同時に押すと音が鳴り始め、ボタンを押し続けると音も鳴り続け、２つのボタンから指を離すことで音が止まる指のピンチ動作で音のオンとオフを可能としたボタン配置を特徴とする手指のピンチ動作で音を操作する防犯グッズ。
【請求項２】
防犯グッズ本体から鳴動する音は、０ｄＢ以上８５ｄＢ未満の間に設定された小さな音圧レベルから鳴り始め、徐々に音圧レベルが大きくなり、ボタンを離すことで音は停止し、再度ボタンを押して音を発動する際は、設定してある最小値の音圧レベルから鳴り始めることを特徴とした請求項１記載の手指のピンチ動作で音を操作する防犯グッズ。
【請求項３】
請求項１記載の防犯グッズから鳴動する音の周波数は、人がもっとも音の変化を感じやすいと言われる３０００Ｈｚ〜４０００Ｈｚ付近の高い周波数が適していると思われるが、上記の中でも高い周波数が聞き取りづらい高齢者に対応できるようその中の最小値の３０００Ｈｚに音を設定することと、周波数を高く設定したことにより音の減衰も大きい特徴を持った手指のピンチ動作で音を操作する防犯グッズ。
【手続補正３】
【補正対象書類名】明細書
【補正対象項目名】０００６
【補正方法】変更
【補正の内容】
【０００６】
【図１】四角形の表裏の面それぞれの中央にボタンを配置した、表裏の図１
【図２】円形の表裏の面それぞれの中央にボタンを配置した、表裏の図２
【図３】図１と図２における面の真ん中を輪切りにした側面の断面の図３
【図４】四角形（４つの角の９０度角を省いた形状）の対角線上の対となる位置にボタンを配置した、表裏の図４
【図５】図４における側面の図５
【図６】四角形（４つの角の９０度角を省いた形状）で、対称的な位置にある側面に対となるボタンを配置した表裏の図６
【図７】図６における側面の図７
【図８】本体が４つ葉のクローバーの形状で、それぞれの葉の先端にボタンを配置した、表裏の図８